(57)【特許請求の範囲】
【請求項１】
ユーザーにより入力された検索語を受信モジュールが受信するステップと、
前記検索語と関連する複数の検索結果を取得モジュールが取得するとともに、前記検索語と関連する少なくとも一つの商家の注文インタフェースを更に前記取得モジュールが取得するステップと、
前記複数の検索結果及び前記注文インタフェースによって生成された注文画面を含む検索ページを提供モジュールが提供するステップと
を含み、
前記取得モジュールが前記検索語と関連する複数の検索結果を取得した後、
前記検索語が予め設定された注文操作要求を満たすかどうかを判断し、満たした場合には、前記検索語と関連する少なくとも一つの商家の注文インタフェースを取得するステップを更に含む、ことを特徴とする検索推奨方法。
【請求項２】
前記検索ページは、前記複数の検索結果を含む第一表示部分と前記注文インタフェースによって生成された前記少なくとも一つの商家の注文画面を含む第二表示部分とを含むことを特徴とする請求項１に記載の方法。
【請求項３】
前記ユーザーにより前記注文画面に入力された注文情報を受信するとともに、予約モジュールにより、対応する商家と予約するステップを更に含むことを特徴とする請求項１に記載の方法。
【請求項４】
前記第二表示部分に前記少なくとも一つの商家の地理的位置情報及び前記ユーザーの現在の位置情報を表示モジュールが表示するステップを更に含むことを特徴とする請求項２に記載の方法。
【請求項５】
前記少なくとも一つの商家の地理的位置情報及び前記ユーザーの現在の位置情報に基づいてナビゲーション経路を生成モジュールが生成するとともに、前記ナビゲーション経路を前記第二表示部分に生成モジュールが表示するステップを更に含むことを特徴とする請求項４に記載の方法。
【請求項６】
各商家の評価情報を評価モジュールが取得するとともに、前記評価情報を前記第二表示部分に評価モジュールが表示するステップを更に含むことを特徴とする請求項２に記載の方法。
【請求項７】
ユーザーにより入力された検索語を受信する受信モジュールと、
前記検索語と関連する複数の検索結果を取得するとともに、前記検索語と関連する少なくとも一つの商家の注文インタフェースを更に取得する取得モジュールと、
前記複数の検索結果及び前記注文インタフェースによって生成された注文画面を含む検索ページを提供する提供モジュールと
を含み、
前記取得モジュールは、具体的には、前記検索語が予め設定された注文操作要求を満たすかどうかを判断し、満たす場合には、前記検索語と関連する少なくとも一つの商家の注文インタフェースを取得する、
ことを特徴とする検索推奨装置。
【請求項８】
前記検索ページは、前記複数の検索結果を含む第一表示部分と前記注文インタフェースによって生成された前記少なくとも一つの商家の注文画面を含む第二表示部分とを含むことを特徴とする請求項７に記載の装置。
【請求項９】
前記ユーザーにより前記注文画面に入力された注文情報を受信するとともに、対応する商家と予約する予約モジュールを更に含むことを特徴とする請求項７に記載の装置。
【請求項１０】
前記第二表示部分に前記少なくとも一つの商家の地理的位置情報及び前記ユーザーの現在の位置情報を表示する表示モジュールを更に含むことを特徴とする請求項８に記載の装置。
【請求項１１】
前記少なくとも一つの商家の地理的位置情報及び前記ユーザーの現在の位置情報に基づいてナビゲーション経路を生成するとともに、前記ナビゲーション経路を前記第二表示部分に表示する生成モジュールを更に含むことを特徴とする請求項１０に記載の装置。
【請求項１２】
各商家の評価情報を取得するとともに、前記評価情報を前記第二表示部分に表示する評価モジュールを更に含むことを特徴とする請求項８に記載の装置。
【請求項１３】
請求項１〜６のいずれか一項に記載の検索推奨方法を実行するアプリケーションを記憶することを特徴とする記憶媒体。
【請求項１４】
請求項１〜６のいずれか一項に記載の検索推奨方法を実行するプログラム。
【発明の詳細な説明】
【技術分野】
【０００１】
（関連出願の相互参照）
【０００２】
本出願は、百度オンライン網絡技術（北京）有限公司が２０１４年０３月２１日に提出し、発明名称が「検索推奨方法及び装置」で、中国特許出願番号が２０１４１０１０９３４９．９の優先権を主張する。
【０００３】
本発明は、コンピュータネットワーク技術分野に関し、特に検索推奨方法及び装置に関する。
【背景技術】
【０００４】
コンピュータ技術の発展に伴い、インターネットの応用が普及する一方であり、インターネットユーザーは検索エンジンを用いて必要なネットワークリソースを入手することができる。
【０００５】
現在、ユーザーが検索エンジンを用いて商品情報を検索する場合には、まず、検索語を入力して捜索する必要があり、そして、関連商家の情報を取得してから、商家の注文画面に入り、商品に対して、例えば、電話注文またはオンライン注文などの注文操作を行う。
【０００６】
しかし、本発明を実現する過程において、発明者は、先行技術において以下のような問題があることを発現する。上述の方法は、操作が複雑であり、不便で、迅速ではなくて、ユーザーエクスペリエンスはよくない。
【発明の概要】
【発明が解決しようとする課題】
【０００７】
本発明の実施例は、少なくともある程度まで、上述の技術問題点を解決することを趣旨とする。
【０００８】
そのため、本発明は、検索推奨方法を提出することを、一つ目の目的とする。当該検索推奨方法は、ユーザーにより便利且つ迅速な注文サービスを提供し、ユーザーニーズを満たし、ユーザーエクスペリエンスを向上させることができる。
【０００９】
本発明は検索推奨装置を提供することを二つ目の目的とする。
【００１０】
本発明は記憶媒体を提供することを三つ目の目的とする。
【課題を解決するための手段】
【００１１】
前記目的を達成するために、本発明の第一方面による実施形態は検索推奨方法を提供する。当該方法は、ユーザーにより入力された検索語を受信するステップと、前記検索語と関連する複数の検索結果を取得するとともに、前記検索語と関連する少なくとも一つの商家の注文インタフェースを更に取得するステップと、前記複数の検索結果及び前記注文インタフェースによって生成された注文画面を含む検索ページを提供するステップとを含む。
【００１２】
本発明の実施形態に係る検索推奨方法は、ユーザーにより入力された検索語を受信して検索を行って、前記検索語と関連する複数の検索結果及び前記検索語と関連する少なくとも一つの商家の注文画面を取得することによって、ユーザーにより便利且つ迅速な注文サービスを提供し、ユーザーニーズを満たし、ユーザーエクスペリエンスを向上させることができる。
【００１３】
本発明の第二方面の実施形態は検索推奨装置を提供する。当該装置は、ユーザーにより入力された検索語を受信する受信モジュールと、前記検索語と関連する複数の検索結果を取得するとともに、前記検索語と関連する少なくとも一つの商家の注文インタフェースを更に取得する取得モジュールと、前記複数の検索結果及び前記注文インタフェースによって生成された注文画面を含む検索ページを提供する提供モジュールとを含む。
【００１４】
本発明の実施形態に係る検索推奨装置は、ユーザーにより入力された検索語を受信して検索を行って、前記検索語と関連する複数の検索結果及び前記検索語と関連する少なくとも一つの商家の注文画面を取得することによって、ユーザーにより便利且つ迅速な注文サービスを提供し、ユーザーニーズを満たし、ユーザーエクスペリエンスを向上させることができる。
【００１５】
上述の目的を実現するために、本発明の第三方面の実施形態は、本発明第一方面の実施形態に記載の検索推奨方法を実行するアプリケーションを記憶する記憶媒体を提供する。
【００１６】
本発明の付加の方面及び利点が下記の説明において部分的に表れられ、一部が下記の説明よりより明らかとなり、或は本発明の実行より了解できる。
【図面の簡単な説明】
【００１７】
本発明の上述及び／或いは付加的方面とメリットは、下記の図面を結合した実施形態に対する説明において、明らかになり、理解されることが容易になる。その中で、
【図１ａ】本発明の一つの実施形態による検索推奨方法のフローチャートである；
【図１ｂ】検索ページの表示効果図である。
【図１ｃ】第二表示部の表示効果図である。
【図２】本発明の別の一つの実施形態による検索推奨方法のフローチャートである；
【図３】本発明のもう一つの実施形態による検索推奨方法のフローチャートである；
【図４】本発明の一つの実施形態による検索推奨装置のブロック図である；
【図５】本発明の別の一つの実施形態による検索推奨装置のブロック図である；
【図６】本発明のもう一つの実施形態による検索推奨装置のブロック図である。
【発明を実施するための形態】
【００１８】
以下に、本発明の実施例を詳細に説明する。前記実施例の実例が図面において示されるが、一貫して同一または類似する符号は、相同又は類似の部品、或いは、相同又は類似の機能を有する部品を表す。以下に、図面を参照しながら説明される実施例が例示性のものであり、本発明を解釈するためだけに用いられるものであって、本発明を制限するように理解されてはならない。
【００１９】
以下に、添付図面を参照しながら本発明の実施形態による検索推奨方法及び装置を説明する。
【００２０】
図１ａは本発明の一つの実施形態による検索推奨方法のフローチャートである。図１ａに示したように、当該検索推奨方法は以下のステップを含む。
【００２１】
ステップＳ１０１：ユーザーにより入力された検索語を受信する。
【００２２】
本発明の実施例において、ユーザーは、捜索エンジンにより提供された捜索欄に検索語を入力することができる。例えば、ユーザーは「ローストダック」「バオズ」、「ラーメン」などの美食名詞を入力してもよく、「ワイシャツ」、「洋服」、「皮靴」などの商品名詞を入力してもよい。
【００２３】
ステップＳ１０２：検索語と関連する複数の検索結果を取得するとともに、検索語と関連する少なくとも一つの商家の注文インタフェースを更に取得する。
【００２４】
本発明の実施例において、検索エンジンは、検索語に基づき検索戦略を利用して、インターネット上から検索語と関連する情報を取得し、情報を組織化・処理した後、検索語と関連する複数の検索結果を取得する。本実施例に記載の複数は二つ又は二つ以上である。既存の検索エンジンと違うのは、本発明の実施形態による検索エンジンが検索語と関連する複数の検索結果を取得した後、検索語が予め設定された注文操作要求を満たすか否かを更に特定できることである。例えば、検索語が「北京」、「上海」などの地名である場合には、予め設定された注文操作要求を満たすことができない。検索語が「ローストダック」、「丼」などの需要になる名詞である場合には、予め設定された注文操作要求を満たすことができて、ユーザーが注文操作を行うように提供することができる。検索語が予め設定された注文操作要求を満たす場合には、検索エンジンは検索語と関連する少なくとも一つの商家の注文インタフェースを更に取得することができる。例えば、検索エンジンは、検索語「ローストダック」を利用して、「全聚徳」、「便宜坊」などの商家がオンラインで注文できると検索する場合には、上述の商家の注文インタフェースを取得して、ユーザーが注文インタフェースによってオンラインで注文できる。
【００２５】
ステップＳ１０３：検索ページを提供するとともに、検索ページに複数の検索結果及び注文インタフェースによって生成された注文画面を提供する。
【００２６】
本発明の実施形態において、検索語と関連する少なくとも一つの商家の注文インタフェースを取得した後、検索エンジンは、ユーザーに一つの検索ページを提供する。そのうち、検索ページは、複数の検索結果を含む第一表示部分と注文インタフェースによって生成された少なくとも一つの商家の注文画面を含む第二表示部分とを含む。例えば、ユーザーが検索語「ローストダック」を入力し、検索エンジンが検索した後に、「ローストダック」と関連する検索結果は検索ページの左半分、即ち、第一表示部分に表示される。検索ページの右半分、即ち、第二表示部分には、「全聚徳」の注文画面が表示される。第一表示部分及び第二表示部分は図１ｂで示され、第二表示部分は図１ｃで示される。ユーザーは「全聚徳」の注文画面において、関連情報を直接に入力して、「全聚徳」に対して予約することができる。
【００２７】
本発明の実施例の検索推奨方法は、ユーザーにより入力された検索語を受信して検索を行って、検索語と関連する複数の検索結果及び検索語と関連する少なくとも一つの商家の注文画面を取得することによって、ユーザーにより便利且つ迅速な注文サービスを提供し、ユーザーニーズを満たし、ユーザーエクスペリエンスを向上させることができる。
【００２８】
図２は本発明の別の一つの実施形態による検索推奨方法のフローチャートである。図２に示したように、当該検索推奨方法は以下のステップを含む。
【００２９】
ステップＳ２０１：ユーザーにより入力された検索語を受信する。
【００３０】
本発明の実施例において、ユーザーは、捜索エンジンにより提供された捜索欄に検索語を入力することができる。例えば、ユーザーは「ローストダック」「バオズ」、「ラーメン」などの美食名詞を入力してもよく、「ワイシャツ」、「洋服」、「皮靴」などの商品名詞を入力してもよい。
【００３１】
ステップＳ２０２：検索語と関連する複数の検索結果を取得するとともに、検索語と関連する少なくとも一つの商家の注文インタフェースを更に取得する。
【００３２】
本発明の実施例において、検索エンジンは、検索語に基づき検索エンジンの検索戦略を利用して、インターネット上から検索語と関連する情報を取得し、情報を組織化・処理した後、検索語と関連する複数の検索結果を取得する。本実施例に記載の複数は二つ又は二つ以上である。既存の検索エンジンと違うのは、本発明の実施形態による検索エンジンが検索語と関連する複数の検索結果を取得した後、検索語が予め設定された注文操作要求を満たすか否かを更に特定できることである。例えば、検索語が「北京」、「上海」などの地名である場合には、予め設定された注文操作要求を満たすことができない。検索語が「ローストダック」、「丼」などの需要になる名詞である場合には、予め設定された注文操作要求を満たすことができて、ユーザーが注文操作を行うように提供することができる。
【００３３】
検索語が予め設定された注文操作要求を満たす場合には、検索エンジンは検索語と関連する少なくとも一つの商家の注文インタフェースを更に取得することができる。例えば、検索エンジンは、検索語「ローストダック」を利用して、「全聚徳」、「便宜坊」などの商家がオンラインで注文できると検索する場合には、上述の商家の注文インタフェースを取得して、ユーザーが注文インタフェースによってオンラインで注文できる。
【００３４】
ステップＳ２０３：検索ページを提供するとともに、検索ページに複数の検索結果及び注文インタフェースによって生成された注文画面を提供する。
【００３５】
本発明の実施形態において、検索語と関連する少なくとも一つの商家の注文インタフェースを取得した後、検索エンジンは、ユーザーに一つの検索ページを提供する。そのうち、検索ページは、複数の検索結果を含む第一表示部分と注文インタフェースによって生成された少なくとも一つの商家の注文画面を含む第二表示部分とを含む。例えば、ユーザーが検索語「ローストダック」を入力し、検索エンジンが検索した後に、「ローストダック」と関連する検索結果は検索ページの左半分、即ち、第一表示部分に表示される。検索ページの右半分、即ち、第二表示部分には、「全聚徳」の注文画面が表示される。ユーザーは「全聚徳」の注文画面において、関連情報を直接に入力して、「全聚徳」に対して予約することができる。
【００３６】
ステップＳ２０４：ユーザーにより注文画面に入力された注文情報を受信するとともに、対応する商家と予約する。
【００３７】
本発明の実施例において、検索エンジンは、ユーザーにより注文画面に入力された注文情報を受信するとともに、対応する商家と予約することができる。例えば、ユーザーは、名前、連絡電話、食事人数、予約時間などの情報を入力して、「全聚徳」に対する予約を行うことができる。
【００３８】
本発明の実施例の検索推奨方法は、ユーザーにより入力された検索語を受信して検索を行って、検索語と関連する複数の検索結果及び検索語と関連する少なくとも一つの商家の注文画面を取得することによって、ユーザーが検索ページの第二表示部分に商家に対して直接に予約することができ、より便利且つ迅速となり、ユーザーニーズを更に満たし、ユーザーエクスペリエンスを更に向上させることができる。
【００３９】
図３は、本発明のもう一つの実施形態による検索推奨方法のフローチャートである。図３に示すように、当該検索推奨方法は以下のステップを含む。
【００４０】
ステップＳ３０１：ユーザーにより入力された検索語を受信する。
【００４１】
本発明の実施例において、ユーザーは、捜索エンジンにより提供された捜索欄に検索語を入力することができる。例えば、ユーザーは「ローストダック」「バオズ」、「ラーメン」などの美食名詞を入力してもよく、「ワイシャツ」、「洋服」、「皮靴」などの商品名詞を入力してもよい。
【００４２】
ステップＳ３０２：検索語と関連する複数の検索結果を取得するとともに、検索語と関連する少なくとも一つの商家の注文インタフェースを更に取得する。
【００４３】
本発明の実施例において、検索エンジンは、検索語に基づき検索エンジンの検索戦略を利用して、インターネット上から検索語と関連する情報を取得し、情報を組織化・処理した後、検索語と関連する複数の検索結果を取得する。本実施例に記載の複数は二つ又は二つ以上である。既存の検索エンジンと違うのは、本発明の実施形態による検索エンジンが検索語と関連する複数の検索結果を取得した後、検索語が予め設定された注文操作要求を満たすか否かを更に特定できることである。例えば、検索語が「北京」、「上海」などの地名である場合には、予め設定された注文操作要求を満たすことができない。検索語が「ローストダック」、「丼」などの需要になる名詞である場合には、予め設定された注文操作要求を満たすことができて、ユーザーが注文操作を行うように提供することができる。
【００４４】
検索語が予め設定された注文操作要求を満たす場合には、検索エンジンは検索語と関連する少なくとも一つの商家の注文インタフェースを更に取得することができる。例えば、検索エンジンは、検索語「ローストダック」を利用して、「全聚徳」、「便宜坊」などの商家がオンラインで注文できると検索する場合には、上述の商家の注文インタフェースを取得して、ユーザーが注文インタフェースによってオンラインで注文できる。
【００４５】
ステップＳ３０３：検索ページを提供するとともに、検索ページに複数の検索結果及び注文インタフェースによって生成された注文画面を提供する。
【００４６】
本発明の実施形態において、検索語と関連する少なくとも一つの商家の注文インタフェースを取得した後、検索エンジンは、ユーザーに一つの検索ページを提供する。そのうち、検索ページは、複数の検索結果を含む第一表示部分と注文インタフェースによって生成された少なくとも一つの商家の注文画面を含む第二表示部分とを含む。例えば、ユーザーが検索語「ローストダック」を入力し、検索エンジンが検索した後に、「ローストダック」と関連する検索結果は検索ページの左半分、即ち、第一表示部分に表示される。検索ページの右半分、即ち、第二表示部分には、「全聚徳」の注文画面が表示される。ユーザーは「全聚徳」の注文画面において、関連情報を直接に入力して、「全聚徳」に対して予約することができる。
【００４７】
ステップＳ３０４：第二表示部分に少なくとも一つの商家の地理的位置情報及びユーザーの現在の位置情報を表示する。
【００４８】
本発明の実施例において、検索結果及び商家の注文画面を表示すると同時に、検索エンジンは、第二表示部分に少なくとも一つの商家の地理的位置情報及びユーザーの現在の位置情報を更に表示することができる。例えば、ユーザーが検索語「ローストダック」を入力し、検索エンジンが検索した後に、「ローストダック」と関連する検索結果は検索ページの左半分、即ち、第一表示部分に表示される。検索ページの右半分、即ち、第二表示部分には、「ローストダック」と関連する商家の地理的位置情報が表示されることができる。
【００４９】
ステップＳ３０５：少なくとも一つの商家の地理的位置情報及びユーザーの現在の位置情報に基づいてナビゲーション経路を生成するとともに、ナビゲーション経路を第二表示部分に表示する。
【００５０】
本発明の実施例において、ユーザーが一つの商家を目的地とする場合には、検索エンジンは、当該商家の地理的位置情報及びユーザーの現在の位置情報に基づいてナビゲーション経路を生成するとともに、ナビゲーション経路を第二表示部分に表示することができて、ユーザーがナビゲーション経路によって走行することができる。
【００５１】
ステップＳ３０６：各商家の評価情報を取得するとともに、評価情報を第二表示部分に表示する。
【００５２】
本実施例において、検索結果及び商家の注文画面を表示すると同時に、検索エンジンは、各商家の評価情報を取得するとともに、評価情報を第二表示部分に表示することができる。例えば、ユーザーが検索語「ローストダック」を入力し、検索エンジンが検索した後に、「ローストダック」と関連する検索結果は検索ページの左半分、即ち、第一表示部分に表示される。検索ページの右半分、即ち、第二表示部分には、例えば味、環境、サービスなどの「ローストダック」と関連する商家の評価情報が表示されることができる。
【００５３】
本発明の実施例の検索推奨方法は第二表示部分に少なくとも一つの商家の地理的位置情報及びユーザーの現在の位置情報を表示し、ナビゲーション経路を生成し、各商家の評価情報を第二表示部分に表示することによって、ユーザにより豊富なサービスを提供し、検索結果を豊かにさせ、ユーザーエクスペリエンスを更に向上させることができる。
【００５４】
上述の実施形態を実現するために、本発明は検索推奨装置を更に提出する。
【００５５】
図４は本発明の一つの実施形態による検索推奨装置のブロック図である。図４に示すように、本発明の実施形態による検索推奨装置は、受信モジュール１００と、取得モジュール２００と、提供モジュール３００とを含む。
【００５６】
具体的には、受信モジュール１００は、ユーザーにより入力された検索語を受信する。
【００５７】
本発明の実施例において、ユーザーは、捜索エンジンにより提供された捜索欄に検索語を入力することができる。例えば、ユーザーは「ローストダック」「バオズ」、「ラーメン」などの美食名詞を入力してもよく、「ワイシャツ」、「洋服」、「皮靴」などの商品名詞を入力してもよい。
【００５８】
取得モジュール２００は、検索語と関連する複数の検索結果を取得するとともに、検索語と関連する少なくとも一つの商家の注文インタフェースを更に取得する。
【００５９】
本発明の実施例において、取得モジュール２００は検索語に基づき捜索エンジンの検索戦略を利用して、インターネット上から検索語と関連する情報を取得し、情報を組織化・処理した後、検索語と関連する複数の検索結果を取得する。本実施例に記載の複数は二つ又は二つ以上である。具体的には、検索語と関連する複数の検索結果を取得した後、取得モジュール２００は検索語が予め設定された注文操作要求を満たすか否かを更に特定することができる。例えば、検索語が「北京」、「上海」などの地名である場合には、予め設定された注文操作要求を満たすことができない。検索語が「ローストダック」、「丼」などの需要になる名詞である場合には、予め設定された注文操作要求を満たすことができて、ユーザーが注文操作を行うように提供することができる。
【００６０】
検索語が予め設定された注文操作要求を満たす場合には、取得モジュール２００は検索語と関連する少なくとも一つの商家の注文インタフェースを更に取得することができる。例えば、検索エンジンが検索語「ローストダック」を利用して、「全聚徳」、「便宜坊」などの商家がオンラインで注文できると検索する場合には、検取得モジュール２００は上述の商家の注文インタフェースを更に取得して、ユーザーが注文インタフェースによってオンラインで注文できる。
【００６１】
提供モジュール３００は、検索ページを提供するとともに、検索ページに複数の検索結果及び注文インタフェースによって生成された注文画面を提供する。
【００６２】
本発明の実施例において、検索語と関連する少なくとも一つの商家の注文インタフェースを取得した後、提供モジュール３００は、ユーザーに一つの検索ページを提供する。そのうち、検索ページは、複数の検索結果を含む第一表示部分と注文インタフェースによって生成された少なくとも一つの商家の注文画面を含む第二表示部分とを含む。例えば、ユーザーが検索語「ローストダック」を入力し、検索エンジンが検索した後に、「ローストダック」と関連する検索結果は検索ページの左半分、即ち、第一表示部分に表示される。検索ページの右半分、即ち、第二表示部分には、「全聚徳」の注文画面が表示される。ユーザーは「全聚徳」の注文画面において、関連情報を直接に入力して、「全聚徳」に対して予約することができる。
【００６３】
本発明の実施例の検索推奨装置は、ユーザーにより入力された検索語を受信して検索を行って、検索語と関連する複数の検索結果及び検索語と関連する少なくとも一つの商家の注文画面を取得することによって、ユーザーにより便利且つ迅速な注文サービスを提供し、ユーザーニーズを満たし、ユーザーエクスペリエンスを向上させることができる。
【００６４】
図５は本発明の別の一つの実施形態による検索推奨装置のブロック図である。図５に示すように、本発明の実施形態による検索推奨装置は、受信モジュール１００と、取得モジュール２００と、提供モジュール３００と、予約モジュール４００とを含む。
【００６５】
具体的には、予約モジュール４００は、ユーザーにより注文画面に入力された注文情報を受信するとともに、対応する商家と予約することができる。
【００６６】
本発明の実施例において、予約モジュール４００は、ユーザーにより注文画面に入力された注文情報を受信するとともに、対応する商家と予約することができる。例えば、ユーザーは、名前、連絡電話、食事人数、予約時間などの情報を入力して、「全聚徳」に対する予約を行うことができる。
【００６７】
本発明の実施例の検索推奨装置は、ユーザーにより入力された検索語を受信して検索を行って、検索語と関連する複数の検索結果及び検索語と関連する少なくとも一つの商家の注文画面を取得することによって、ユーザーが検索ページの第二表示部分に商家に対して直接に予約することができ、より便利且つ迅速となり、ユーザーニーズを更に満たし、ユーザーエクスペリエンスを更に向上させることができる。
【００６８】
図６は、本発明のもう一つの実施形態による検索推奨装置のブロック図である。図６に示すように、当該検索推奨装置は、受信モジュール１００と、取得モジュール２００と、提供モジュール３００と、予約モジュール４００と、表示モジュール５００と、生成モジュール６００と、評価ジュール７００とを含む。
【００６９】
具体的には、表示モジュール５００は、第二表示部分に少なくとも一つの商家の地理的位置情報及びユーザーの現在の位置情報を表示する。
【００７０】
本発明の実施例において、検索結果及び商家の注文画面を表示すると同時に、表示モジュール５００は、第二表示部分に少なくとも一つの商家の地理的位置情報及びユーザーの現在の位置情報を更に表示することができる。例えば、ユーザーが検索語「ローストダック」を入力し、検索エンジンが検索した後に、「ローストダック」と関連する検索結果は検索ページの左半分、即ち、第一表示部分に表示される。検索ページの右半分、即ち、第二表示部分には、「ローストダック」と関連する商家の地理的位置情報が表示されることができる。
【００７１】
生成モジュール６００は少なくとも一つの商家の地理的位置情報及びユーザーの現在の位置情報に基づいてナビゲーション経路を生成するとともに、ナビゲーション経路を第二表示部分に表示する。
【００７２】
本発明の実施例において、ユーザーが一つの商家を目的地とする場合には、生成モジュール６００は、当該商家の地理的位置情報及びユーザーの現在の位置情報に基づいてナビゲーション経路を生成するとともに、ナビゲーション経路を第二表示部分に表示することができて、ユーザーがナビゲーション経路によって走行することができる。
【００７３】
評価ジュール７００は、各商家の評価情報を取得するとともに、評価情報を第二表示部分に表示する。
【００７４】
本発明の実施例において、検索結果及び商家の注文画面を表示すると同時に、評価ジュール７００は、各商家の評価情報を取得するとともに、評価情報を第二表示部分に表示することができる。例えば、ユーザーが検索語「ローストダック」を入力し、検索エンジンが検索した後に、「ローストダック」と関連する検索結果は検索ページの左半分、即ち、第一表示部分に表示される。検索ページの右半分、即ち、第二表示部分には、例えば味、環境、サービスなどの「ローストダック」と関連する商家の評価情報が表示されることができる。
【００７５】
本発明の実施例の検索推奨装置は第二表示部分に少なくとも一つの商家の地理的位置情報及びユーザーの現在の位置情報を表示し、ナビゲーション経路を生成し、各商家の評価情報を第二表示部分に表示することによって、ユーザにより豊富なサービスを提供し、検索結果を豊かにさせ、ユーザーエクスペリエンスを更に向上させることができる。
【００７６】
上述の実施例を実現するために、本発明は、本発明の実施例の何れか一つに記載の検索推奨方法を実行させるアプリケーションを記憶する記憶媒体を提供する。
【００７７】
フローチャートまたは他の方式で説明したいかなる過程や方法は、一つまたは複数の、特定ロジック性能または過程のステップの実行できるコマンドのコードのモジュール、セクターあるいは部分を含む。本発明の望ましい実施方式の範囲は、他の実現を含み、表示または討論の順序に従わなくてもよい。述べられた機能に基づいて基本的に同様な方式または逆の順序で、その機能を実行することができる。これは、本発明の実施例の当業者に理解される。
【００７８】
フローチャート中で表され、又はその他の方式で記述された論理及び／又はステップは、例えば、論理機能を実現するための命令実行可能な順序リストであると考えられてよく、具体的には、いかなるコンピュータ読取可能媒体中でも実現することができ、それによって指令実行システム、装置、若しくは設備（例えばコンピュータに基づくシステム、プロセッサを含むシステム又は他の指令実行システム、装置又は設備から指令を取得して指令を実行することができるシステム等）に使用され、又はこれらの指令実行システム、装置、若しくは設備を結合して使用される。本明細書について言えば、「コンピュータ読取可能媒体」は、プログラムを含み、保存し、通信し、伝播し又は伝送して、指令実行システム、装置若しくは設備又はこれらの指令実行システム、装置若しくは設備に使用されるいかなる装置であってもよい。コンピュータ読取可能媒体のさらに具体的な例示（非網羅的リスト）には、１つ以上の配線を有する電気接続部（電子装置）、ポータブル型コンピュータディスク（磁気装置）、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバ、及びコンパクト光ディスク読み出し専用メモリ（ＣＤＲＯＭ）が含まれる。また、コンピュータ読取可能媒体は、その上に前述のプログラムを印刷した紙又はその他適当な媒体でさえあってよい。なぜなら、例えば、紙又はその他の媒質に対して光学スキャンを行い、続いて編集、解釈又は必要ならその他適当な方式で処理を行って、電子方式によってプログラムを取得し、その後それをコンピュータメモリ中に保存することができるからである。
【００７９】
また、理解すべきことは、本発明の各部分は、ハードウェア、ソフトウェア、部品またはそれらの組み合わせで実現できる。実施例には、複数のステップまたは方法がメモリに保存され、適当なコマンド実行システムのソフトウェアまたは部品で実現される。たとえば、ハードウェアで実現する場合、他の実施方式と同じように、本領域周知の下記の任意一つまたはそれらの組み合わせで実現できる。すなわち、デジタル信号に対してロジック機能を実現するロジックゲート回路を有する個別のロジック回路、ロジックゲート回路を組み合わせた適当な専用ＩＣ、プログラマブルゲートアレイ（ＰＧＡ）、フィールドプログラマブルゲートアレイ（ＦＰＧＡ）などである。
【００８０】
実施例の方法にある全部または一部のステップがプログラムにより関連のハードウェアを実行することで完成されることは、本技術領域の普通技術者に理解される。プログラムは一つの計算機の読み出し書き込み可能な記憶メディアに記憶される。当プログラムを実行するとき、実施例方法のステップの一つまたはそれらの組み合わせを含む。
【００８１】
なお、本発明の各実施例の各機能モジュールを一つの処理モジュールに集中し、または、単独に存在し、あるいは、二つまたは二つ以上モジュールを一つの処理モジュールに集中することができる。集成したモジュールは、ハードウェアの形式、または、ソフトウェアの形式で実現される。集成したモジュールは、ソフトウェアの形式で実現し、また、独立の製品として販売や使用するとき、計算機の読み出し書き込み可能な記憶メディアに記憶されることができる。
【００８２】
記憶メディアは、読み出し専用メモリ、ディスク、または、ＣＤなどである。
【００８３】
本説明書には、用語「一つの実施例」、「いくつかの実施例」、「例示」、「具体的例示」などは、当実施例や例示の具体的特徴、構造、材料が本発明の少なくとも一つの実施例や例示に含まれることを意味する。本説明書には、用語の説明が必ずしも同じ実施例や例示を意味しない。また、説明の中の具体的特徴、構造、材料は、任意の一つやいくつかの実施例や例示に適当な方式で結合されることができる。
【００８４】
本発明の実施形態を示して説明したが、当業者にとって理解できるのは、本発明の原理及び主旨から逸脱しない限りこれらの実施形態に対して複種の変化、補正、切り替え及び変形を行うことができる。本発明の範囲は、特許請求の範囲及びその等価物により限定される。
本発明は一側面において以下の発明を包含する。
（発明１）
ユーザーにより入力された検索語を受信するステップと、
前記検索語と関連する複数の検索結果を取得するとともに、前記検索語と関連する少なくとも一つの商家の注文インタフェースを更に取得するステップと、
前記複数の検索結果及び前記注文インタフェースによって生成された注文画面を含む検索ページを提供するステップと
を含むことを特徴とする検索推奨方法。
（発明２）
前記検索語と関連する複数の検索結果を取得した後、前記検索語と関連する少なくとも一つの商家の注文インタフェースを更に取得する前に、
前記検索語が予め設定された注文操作要求を満たすことを特定するステップを更に含むことを特徴とする発明１に記載の方法。
（発明３）
前記検索ページは、前記複数の検索結果を含む第一表示部分と前記注文インタフェースによって生成された前記少なくとも一つの商家の注文画面を含む第二表示部分とを含むことを特徴とする発明１に記載の方法。
（発明４）
前記ユーザーにより前記注文画面に入力された注文情報を受信するとともに、対応する商家と予約するステップを更に含むことを特徴とする発明１に記載の方法。
（発明５）
前記第二表示部分に前記少なくとも一つの商家の地理的位置情報及び前記ユーザーの現在の位置情報を表示するステップを更に含むことを特徴とする発明３に記載の方法。
（発明６）
前記少なくとも一つの商家の地理的位置情報及び前記ユーザーの現在の位置情報に基づいてナビゲーション経路を生成するとともに、前記ナビゲーション経路を前記第二表示部分に表示するステップを更に含むことを特徴とする発明５に記載の方法。
（発明７）
各商家の評価情報を取得するとともに、前記評価情報を前記第二表示部分に表示するステップを更に含むことを特徴とする発明３に記載の方法。
（発明８）
ユーザーにより入力された検索語を受信する受信モジュールと、
前記検索語と関連する複数の検索結果を取得するとともに、前記検索語と関連する少なくとも一つの商家の注文インタフェースを更に取得する取得モジュールと、
前記複数の検索結果及び前記注文インタフェースによって生成された注文画面を含む検索ページを提供する提供モジュールと
を含むことを特徴とする検索推奨装置。
（発明９）
前記取得モジュールは、具体的には、前記検索語が予め設定された注文操作要求を満たすことを特定するとともに、前記検索語と関連する少なくとも一つの商家の注文インタフェースを取得することを特徴とする発明８に記載の装置。
（発明１０）
前記検索ページは、前記複数の検索結果を含む第一表示部分と前記注文インタフェースによって生成された前記少なくとも一つの商家の注文画面を含む第二表示部分とを含むことを特徴とする発明８に記載の装置。
（発明１１）
前記ユーザーにより前記注文画面に入力された注文情報を受信するとともに、対応する商家と予約する予約モジュールを更に含むことを特徴とする発明８に記載の装置。
（発明１２）
前記第二表示部分に前記少なくとも一つの商家の地理的位置情報及び前記ユーザーの現在の位置情報を表示する表示モジュールを更に含むことを特徴とする発明１０に記載の装置。
（発明１３）
前記少なくとも一つの商家の地理的位置情報及び前記ユーザーの現在の位置情報に基づいてナビゲーション経路を生成するとともに、前記ナビゲーション経路を前記第二表示部分に表示する生成モジュールを更に含むことを特徴とする発明１２に記載の装置。
（発明１４）
各商家の評価情報を取得するとともに、前記評価情報を前記第二表示部分に表示する評価モジュールを更に含むことを特徴とする発明１０に記載の装置。
（発明１５）
発明１〜７のいずれか１つに記載の検索推奨方法を実行するアプリケーションを記憶することを特徴とする記憶媒体。
【図１ａ】
0006291041.tif 000002
【図１ｂ】
0006291041.tif 000003
【図１ｃ】
0006291041.tif 000004
【図２】
0006291041.tif 000005
【図３】
0006291041.tif 000006
【図４】
0006291041.tif 000007
【図５】
0006291041.tif 000008
【図６】
0006291041.tif 000009